(57)【要約】【課題】  カム板を鏡筒の外側面に取り付ける際にカムピンとカム溝との位置決め・係合を容易にする。【解決手段】  カム板１０に設けられたカム溝１０ａ、１０ｂの回転中心１０ｃ側の端部をカム溝１０ａ、１０ｂよりも幅広の拡張部１０ｅ、１０ｆとして形成する。これにより、カムピン２ａ、３ａの径に対してカム溝１０ａ、１０ｂが実質的に拡がるため、カム板１０を鏡筒１の外側面に取り付ける際にカムピン２ａ、３ａをカム溝１０ａ、１０ｂに係合させ易くなり、カム板１０の取り付け作業が効率的に行える。【選択図】  図１
2005352313.tif 000002
【特許請求の範囲】
【請求項１】
少なくとも、
第一のレンズ群を保持し、一端部に突起部を有する第一のレンズ保持枠と、
第二のレンズ群を保持し、一端部に突起部を有する第二のレンズ保持枠と、
前記第一のレンズ保持枠、及び前記第二のレンズ保持枠を前記第一のレンズ群、及び前記第二のレンズ群の光軸方向に案内する案内手段と、
少なくとも前記第一のレンズ保持枠、前記第二のレンズ保持枠、及び前記案内手段を格納する鏡筒と、を有するレンズ駆動機構に用いるカム板であって、
少なくとも、前記第一のレンズ保持枠が有する突起部、及び前記第二のレンズ保持枠が有する突起部がそれぞれ係合する２つのカム溝を有しており、当該２つのカム溝それぞれの一端部は、当該カム溝の幅より広い拡張部として形成されていることを特徴とするカム板。
【請求項２】
前記２つのカム溝は、前記カム板を貫通していないことを特徴とする請求項１に記載のカム板。
【請求項３】
前記２つのカム溝は、前記カム板を貫通していることを特徴とする請求項１に記載のカム板。
【請求項４】
前記２つのカム溝は、前記拡張部のみが前記カム板を貫通していることを特徴とする請求項１に記載のカム板。
【請求項５】
前記カム溝の貫通領域と非貫通領域との境界部角部には面取り加工が施されていることを特徴とする請求項４に記載のカム板。
【請求項６】
前記カム板は円盤状のカム板であり、前記拡張部は前記２つのカム溝の当該円盤状のカム板の回転中心側の一端部に設けられていることを特徴とする請求項１〜５の何れか１つに記載のカム板。
【請求項７】
少なくとも、
第一のレンズ群を保持し、一端部に突起部を有する第一のレンズ保持枠と、
第二のレンズ群を保持し、一端部に突起部を有する第二のレンズ保持枠と、
前記第一のレンズ保持枠、及び前記第二のレンズ保持枠を前記第一のレンズ群、及び前記第二のレンズ群の光軸方向に案内する案内手段と、
少なくとも前記第一のレンズ保持枠、前記第二のレンズ保持枠、及び前記案内手段を格納する鏡筒と、を有するレンズ駆動機構に用いるカム板であって、
前記カム板の少なくとも一方の面には、前記カム溝よりも浅い直線状の溝が前記第一のレンズ保持枠および前記第二のレンズ保持枠の移動方向と平行且つ、前記カム溝と平面的に交差するように設けられていることを特徴とするカム板。
【請求項８】
前記カム板は円盤状のカム板であり、前記直線状の溝は当該円盤状のカム板の回転中心を通ることを特徴とする請求項７に記載のカム板。
【請求項９】
少なくとも、
第一のレンズ群を保持し、一端部に突起部を有する第一のレンズ保持枠と、
第二のレンズ群を保持し、一端部に突起部を有する第二のレンズ保持枠と、
前記第一のレンズ保持枠、及び前記第二のレンズ保持枠を前記第一のレンズ群、及び前記第二のレンズ群の光軸方向に案内する案内手段と、
前記第一のレンズ保持枠が有する突起部、及び前記第二のレンズ保持枠が有する突起部がそれぞれ係合する２つのカム溝が設けられたカム板と、
少なくとも前記第一のレンズ保持枠、前記第二のレンズ保持枠、及び前記案内手段を格納する鏡筒と、を有するレンズ駆動機構であって、
前記２つのカム溝それぞれの少なくとも一端部は、当該カム溝の幅より広い拡張部として形成されていることを特徴とするレンズ駆動機構。
【請求項１０】
前記カム溝は、前記カム板を貫通していないことを特徴とする請求項９に記載のレンズ駆動機構。
【請求項１１】
前記カム溝は、前記カム板を貫通していることを特徴とする請求項９に記載のレンズ駆動機構。
【請求項１２】
前記カム溝は、前記拡張部のみが前記カム板を貫通していることを特徴とする請求項９に記載のレンズ駆動機構。
【請求項１３】
前記カム溝の貫通領域と非貫通領域との境界部角部には面取り加工が施されていることを特徴とする請求項１２に記載のレンズ駆動機構。
【請求項１４】
前記カム板は円盤状のカム板であり、前記拡張部は前記２つのカム溝の当該円盤状のカム板の回転中心側の一端部に設けられていることを特徴とする請求項９〜１３の何れか１つに記載のレンズ駆動機構。
【請求項１５】
少なくとも、
第一のレンズ群を保持し、一端部に突起部を有する第一のレンズ保持枠と、
第二のレンズ群を保持し、一端部に突起部を有する第二のレンズ保持枠と、
前記第一のレンズ保持枠、及び前記第二のレンズ保持枠を前記第一のレンズ群、及び前記第二のレンズ群の光軸方向に案内する案内手段と、
前記第一のレンズ保持枠が有する突起部、及び前記第二のレンズ保持枠が有する突起部がそれぞれ係合する２つのカム溝が設けられたカム板と、
少なくとも前記第一のレンズ保持枠、前記第二のレンズ保持枠、及び前記案内手段を格納する鏡筒と、を有するレンズ駆動機構であって、
前記カム板の少なくとも一方の面には、前記カム溝よりも浅い直線状の溝が前記第一のレンズ保持枠および前記第二のレンズ保持枠の移動方向と平行且つ、前記カム溝と平面的に交差するように設けられていることを特徴とするレンズ駆動機構。
【請求項１６】
前記カム板は円盤状のカム板であり、前記直線状の溝は当該円盤状のカム板の回転中心を通ることを特徴とする請求項１５に記載のレンズ駆動機構。
【請求項１７】
少なくとも、
第一のレンズ群を保持し、一端部に突起部を有する第一のレンズ保持枠と、
第二のレンズ群を保持し、一端部に突起部を有する第二のレンズ保持枠と、
前記第一のレンズ保持枠、及び前記第二のレンズ保持枠を前記第一のレンズ群、及び前記第二のレンズ群の光軸方向に案内する案内手段と、
前記第一のレンズ保持枠が有する突起部、及び前記第二のレンズ保持枠が有する突起部がそれぞれ係合する２つのカム溝が設けられたカム板と、
少なくとも前記第一のレンズ保持枠、前記第二のレンズ保持枠、及び前記案内手段を格納する鏡筒と、を有し、
前記カム板の少なくとも一方の面には、前記カム溝よりも浅い直線状の溝が前記第一のレンズ保持枠および前記第二のレンズ保持枠の移動方向と平行且つ、前記カム溝と平面的に交差するように設けられているレンズ駆動機構の組立て方法であって、
少なくとも、
前記鏡筒内部に前記第一のレンズ保持枠、前記第二のレンズ保持枠、及び前記案内手段を組み込む工程と、
前記鏡筒の側壁を通して外部へ突出した前記第一のレンズ保持枠の突起部および前記第二のレンズ保持枠の突起部に前記カム板に設けられた直線状の溝を係合させる工程と、
前記第一のレンズ保持枠の突起部および前記第二のレンズ保持枠の突起部を前記直線状の溝に沿って摺動させ、当該第一のレンズ保持枠の突起部および当該第二のレンズ保持枠の突起部を前記カム板の２つのカム溝にそれぞれ係合させる工程と、
を有することを特徴とするレンズ駆動機構の組立て方法。
【発明の詳細な説明】
【技術分野】
【０００１】
本発明は、カム板、ならびにレンズ駆動機構およびその組立て方法に関するものである。
【背景技術】
【０００２】
近年、ＣＣＤやＣＭＯＳ等の撮像素子を利用したデジタルカメラの普及が進み、その小型化や薄型化、軽量化が図られている。同時に、ズーム機構やオートフォーカス機構を搭載することが要求されている。光学部材においてズーム機構やオートフォーカス機構を搭載する場合には、２組以上のレンズ群を光軸方向に移動させることになる。特にズーム機構の場合、２組のレンズ群をそれぞれ前方・後方の別方向に同時に精度よく移動させる必要がある。
【０００３】
レンズ群を移動させる駆動手段としては、カムによる駆動が一般的に行われており、カムの形状については、レンズ群の外周を取り囲む筒状のカムや、レンズ群に対して平行移動や回転駆動する板状のカムがある。
【０００４】
図５は、カムに円盤状のカム板を用いた従来のレンズ駆動機構を示す一部分解斜視図である。鏡筒１内部には、レンズ群を保持する２つのレンズ保持枠２、３が配置されており、２本のガイドシャフト４、４によりレンズの光軸方向に摺動可能に保持されている。レンズ保持枠２、３の一端部には突起部（カムピン）２ａ、３ａがそれぞれ設けられており、鏡筒１外側面に回転軸１ａを中心として軸支された円盤状のカム板５のカム溝５ａ、５ｂに係合している。レンズ保持枠２、３とガイドシャフト４、４は、鏡筒１内部に格納されており、その上下に蓋部材６ａ、６ｂが配置されることでレンズ駆動機構として構成されている。ステッピングモータ等の駆動源（不図示）によりカム板５が回転すると、レンズ保持枠２、３のカムピン２ａ、３ａがカム板５のカム溝５ａ、５ｂに沿って摺動し、レンズ保持枠２、３がガイドシャフト４、４に沿ってレンズの光軸方向に移動する。（例えば、特許文献１参照）
【０００５】
このようなカムを用いたレンズ駆動機構においては、カム溝の内周部（例えば５ｃ）とレンズ保持枠のカムピン（例えば２ａ）との隙間が例えば０．０１ｍｍ（１０μｍ）程度ある。この隙間は、レンズ保持枠のカムピンをカム溝内にて円滑に摺動させるためのものであり、設計段階で適宜決定される。しかしながら、この隙間があるために、レンズ保持枠が移動する際、カムピンとカム溝との間でガタが生じて正確な駆動が行われないことがあった。
【０００６】
そのため、このような問題を解決する手段の一つとして、２つのレンズ保持枠２と３との間に図５に示すようなコイルバネ７を設けたレンズ駆動機構が考案されている。このコイルバネ７により、２つのレンズ保持枠２、３が互いに近接する方向に付勢されてレンズ保持枠２、３のカムピン２ａ、３ａが常にカム溝内周部の一方側にそれぞれ密着した状態となるため、レンズ保持枠２、３が移動した際にもガタを生じることがなくなる。但し、コイルバネは、レンズ駆動機構を構成する上で必ずしも必要なものではなく、図５に示した従来のレンズ駆動機構はあくまで１つの実施形態である。
【０００７】
かかる従来のレンズ駆動機構を組み立てる際には、まず、下側の蓋部材６ｂに設けられた２つの穴部６ｃ、６ｃに２本のガイドシャフト４、４の一端部４ａ、４ａをそれぞれ嵌合させて固定し、次いで下側のレンズ保持枠３にガイドシャフト４、４を貫入させる。その後、上方から鏡筒１を被せて下側の蓋部材６ｂと嵌合させ、続いて上側のレンズ保持枠２にガイドシャフト４、４を貫入させて鏡筒１内部に収納する。そして、上側のレンズ保持枠２の収納が完了した時点で鏡筒１の上端部に上側の蓋部材６ａを嵌合させて固定する。
【０００８】
次に、この状態で２つのレンズ保持枠２、３のバネポスト２ｂ、３ｂ間にコイルバネ７を取り付ける。コイルバネ７の両端部はリング状になっており、コイルバネ７を取り付ける際には、鏡筒１の側壁に設けられた開口部１ｂを通して例えばコイルバネ７の一端部７ｂを下側のレンズ保持枠３のバネポスト３ｂに引掛け、次いでコイルバネ７の他端部７ａを上側のレンズ保持枠２のバネポスト２ｂに引掛ける。
【０００９】
コイルバネ７の取り付けが完了したら、カム板５を鏡筒１の外側面に設けられた回転軸１ａに取り付ける。カム板５を回転軸１ａに取り付ける際には、まずカム板５の中心に設けられた中心穴５ｄに回転軸１ａをカム板５の平面上にレンズ保持枠２、３のカムピン２ａ、３ａ端部が当接するまで挿し込む。その後、この状態でカム板５を回転させて２つのカムピン２ａ、３ａがカム溝５ａ、５ｂにそれぞれ係合するように位置決めをし、カム板５を回転軸１ａの根元まで挿し込んで係るレンズ駆動機構の組立ては完了する。通常、これらの組立ては手作業で行われる。
【００１０】
ところで、上述した従来のレンズ駆動機構においては、カム溝５ａ、５ｂがカム板５を貫通して形成されているが、このようにカム溝がカム板を貫通して形成されているとカム板の強度が低くなり、カム板全体に歪み等が生じて正確な駆動が行えなくなる可能性があった。そのため、カム溝を貫通していない底付きの形状としてカム板の強度を確保したレンズ駆動機構も考案されている。尚、基本的な構成は図５に示した従来のレンズ駆動機構と同じであり、差異はカム溝がカム板を貫通していないことのみであるため、詳しい説明は省略する。
【特許文献１】特開平１０−３１１４７号公報
【発明の開示】
【発明が解決しようとする課題】
【００１１】
レンズ駆動機構を組み立てる作業において、２つのレンズ保持枠のカムピンにカム板のカム溝をそれぞれ係合させる際には、上述のようにカム板を一旦回転軸に軸支させた状態でカム板を回転させ、カムピンがカム溝に係合するようにカム板の位置を調整していた。しかしながら、カム溝とカムピンの嵌め合い寸法は、ガタが無いように精密な嵌め合いとなっており、カム溝内周とカムピン外周との隙間は数十ミクロン（例えば１０μｍ）しかないため、カム溝にカムピンを係合させるのは困難な作業であった。
【００１２】
特に、カム板の強度を確保するためにはカム溝はカム板を貫通していない方が望ましいが、この場合にはカム板を組み付ける際にカムピンとカム溝の位置合わせが目で確認しながら行えないため、カム板の取り付け作業は更に困難となる。
【００１３】
本発明は、以上のような問題点に鑑みてなされたものであり、カム板の取り付けを容易に行えるレンズ駆動機構、及びその組立て方法を提供することを目的とする。
【課題を解決するための手段】
【００１４】
少なくとも、
第一のレンズ群を保持し、一端部に突起部を有する第一のレンズ保持枠と、
第二のレンズ群を保持し、一端部に突起部を有する第二のレンズ保持枠と、
前記第一のレンズ保持枠、及び前記第二のレンズ保持枠を前記第一のレンズ群、及び前記第二のレンズ群の光軸方向に案内する案内手段と、
少なくとも前記第一のレンズ保持枠、前記第二のレンズ保持枠、及び前記案内手段を格納する鏡筒と、を有するレンズ駆動機構に用いるカム板であって、
少なくとも、前記第一のレンズ保持枠が有する突起部、及び前記第二のレンズ保持枠が有する突起部がそれぞれ係合する２つのカム溝を有しており、当該２つのカム溝それぞれの一端部は、当該カム溝の幅より広い拡張部として形成されているカム板とする。
【００１５】
前記２つのカム溝は、前記カム板を貫通していないカム板とする。
【００１６】
前記２つのカム溝は、前記カム板を貫通しているカム板とする。
【００１７】
前記２つのカム溝は、前記拡張部のみが前記カム板を貫通しているカム板とする。
【００１８】
前記カム溝の貫通領域と非貫通領域との境界部角部には面取り加工が施されているカム板とする。
【００１９】
前記カム板は円盤状のカム板であり、前記拡張部は前記２つのカム溝の当該円盤状のカム板の回転中心側の一端部に設けられているカム板とする。
【００２０】
少なくとも、
第一のレンズ群を保持し、一端部に突起部を有する第一のレンズ保持枠と、
第二のレンズ群を保持し、一端部に突起部を有する第二のレンズ保持枠と、
前記第一のレンズ保持枠、及び前記第二のレンズ保持枠を前記第一のレンズ群、及び前記第二のレンズ群の光軸方向に案内する案内手段と、
少なくとも前記第一のレンズ保持枠、前記第二のレンズ保持枠、及び前記案内手段を格納する鏡筒と、を有するレンズ駆動機構に用いるカム板であって、
前記カム板の少なくとも一方の面には、前記カム溝よりも浅い直線状の溝が前記第一のレンズ保持枠および前記第二のレンズ保持枠の移動方向と平行且つ、前記カム溝と平面的に交差するように設けられているカム板とする。
【００２１】
前記カム板は円盤状のカム板であり、前記直線状の溝は当該円盤状のカム板の回転中心を通るカム板とする。
【００２２】
少なくとも、
第一のレンズ群を保持し、一端部に突起部を有する第一のレンズ保持枠と、
第二のレンズ群を保持し、一端部に突起部を有する第二のレンズ保持枠と、
前記第一のレンズ保持枠、及び前記第二のレンズ保持枠を前記第一のレンズ群、及び前記第二のレンズ群の光軸方向に案内する案内手段と、
前記第一のレンズ保持枠が有する突起部、及び前記第二のレンズ保持枠が有する突起部がそれぞれ係合する２つのカム溝が設けられたカム板と、
少なくとも前記第一のレンズ保持枠、前記第二のレンズ保持枠、及び前記案内手段を格納する鏡筒と、を有するレンズ駆動機構であって、
前記２つのカム溝それぞれの少なくとも一端部は、当該カム溝の幅より広い拡張部として形成されているレンズ駆動機構とする。
【００２３】
前記カム溝は、前記カム板を貫通していないレンズ駆動機構とする。
【００２４】
前記カム溝は、前記カム板を貫通しているレンズ駆動機構とする。
【００２５】
前記カム溝は、前記拡張部のみが前記カム板を貫通しているレンズ駆動機構とする。
【００２６】
前記カム溝の貫通領域と非貫通領域との境界部角部には面取り加工が施されているレンズ駆動機構とする。
【００２７】
前記カム板は円盤状のカム板であり、前記拡張部は前記２つのカム溝の、当該円盤状のカム板の回転中心側の一端部に設けられているレンズ駆動機構とする。
【００２８】
少なくとも、
第一のレンズ群を保持し、一端部に突起部を有する第一のレンズ保持枠と、
第二のレンズ群を保持し、一端部に突起部を有する第二のレンズ保持枠と、
前記第一のレンズ保持枠、及び前記第二のレンズ保持枠を前記第一のレンズ群、及び前記第二のレンズ群の光軸方向に案内する案内手段と、
前記第一のレンズ保持枠が有する突起部、及び前記第二のレンズ保持枠が有する突起部がそれぞれ係合する２つのカム溝が設けられたカム板と、
少なくとも前記第一のレンズ保持枠、前記第二のレンズ保持枠、及び前記案内手段を格納する鏡筒と、を有するレンズ駆動機構であって、
前記カム板の少なくとも一方の面には、前記カム溝よりも浅い直線状の溝が前記第一のレンズ保持枠および前記第二のレンズ保持枠の移動方向と平行且つ、前記カム溝と平面的に交差するように設けられているレンズ駆動機構とする。
【００２９】
前記カム板は円盤状のカム板であり、前記直線状の溝は当該円盤状のカム板の回転中心を通るレンズ駆動機構とする。
【００３０】
少なくとも、
第一のレンズ群を保持し、一端部に突起部を有する第一のレンズ保持枠と、
第二のレンズ群を保持し、一端部に突起部を有する第二のレンズ保持枠と、
前記第一のレンズ保持枠、及び前記第二のレンズ保持枠を前記第一のレンズ群、及び前記第二のレンズ群の光軸方向に案内する案内手段と、
前記第一のレンズ保持枠が有する突起部、及び前記第二のレンズ保持枠が有する突起部がそれぞれ係合する２つのカム溝が設けられたカム板と、
少なくとも前記第一のレンズ保持枠、前記第二のレンズ保持枠、及び前記案内手段を格納する鏡筒と、を有し、
前記カム板の少なくとも一方の面には、前記カム溝よりも浅い直線状の溝が前記第一のレンズ保持枠および前記第二のレンズ保持枠の移動方向と平行且つ、前記カム溝と平面的に交差するように設けられているレンズ駆動機構の組立て方法であって、
少なくとも、
前記鏡筒内部に前記第一のレンズ保持枠、前記第二のレンズ保持枠、及び前記案内手段を組み込む工程と、
前記鏡筒の側壁を通して外部へ突出した前記第一のレンズ保持枠の突起部および前記第二のレンズ保持枠の突起部に前記カム板に設けられた直線状の溝を係合させる工程と、
前記第一のレンズ保持枠の突起部および前記第二のレンズ保持枠の突起部を前記直線状の溝に沿って摺動させ、当該第一のレンズ保持枠の突起部および当該第二のレンズ保持枠の突起部を前記カム板の２つのカム溝にそれぞれ係合させる工程と、
を有するレンズ駆動機構の組立て方法とする。
【発明の効果】
【００３１】
本発明では、カム板の平面上、もしくはカム溝の端部にカムピンをカム溝に係合させやすい加工が施してあるため、カム板のレンズ駆動装置への組み付け作業が効率的に行える。
【発明を実施するための最良の形態】
【００３２】
カム溝の一端部を幅広の拡張部として形成する、もしくはカム板の平面上にカム溝と平面的に交差する直線状の案内溝を設けることにより、カム板を鏡筒の外側面に取り付ける際にカムピンをカム溝に係合させやすい構成とする。
【実施例１】
【００３３】
図１は、本発明のレンズ駆動機構の一実施例を示す一部分解斜視図である。尚、基本的な構成は従来のレンズ駆動機構と同様であり、同部材には同符号を付してある。鏡筒１の内部には２つのレンズ保持枠２、３が配置されており、例えば一方はズームレンズを保持したレンズ保持枠２で、もう一方はフォーカスレンズを保持したレンズ保持枠３である。レンズ保持枠２、３の一端部には突起部（カムピン）２ａ、３ａがそれぞれ設けられており、鏡筒１の側壁を貫通して、鏡筒１の外側面に回転軸１ａを中心として軸支された円盤状のカム板１０のカム溝１０ａ、１０ｂに係合している。カム板１０は、円形の歯車に加工を施して２つのカム溝１０ａ、１０ｂを形成したものであり、歯部１０ｄを介して駆動源（ステッピングモータ等）（不図示）の駆動力が伝達されて回転軸１ａを中心に回転する。
【００３４】
レンズ保持枠２、３の別の一端部には、バネポスト２ｂ、３ｂがそれぞれ設けられており、付勢用のコイルバネ７が取り付けられている。これによりレンズ保持枠２、３はそれぞれ近接する方向に付勢され、カムピン２ａ、３ａとカム溝１０ａ、１０ｂとの間でガタが抑制される。レンズ保持枠２、３の一部には２本のガイドシャフト４、４が貫通しており、これによりレンズ保持枠２、３がレンズの光軸方向に摺動可能に保持されている。カム板１０が回転するとレンズ保持枠２、３に設けられたカムピン２ａ、３ａがカム板１０のカム溝１０ａ、１０ｂ内を摺動し、レンズ保持枠２、３がガイドシャフト４、４に沿って光軸方向に移動する。また、蓋部材６ａ、６ｂはレンズ保持枠２、３を外部より保護するものであり、ガイドシャフト４、４を鏡筒１内部にて保持固定する役割を兼ねている。
【００３５】
以上説明した通り基本的な構成は従来と同様であるが、本発明の特徴としてカム板１０のカム溝１０ａ、１０ｂの一端部は、カム溝１０ａ、１０ｂの幅より広い拡張部１０ｅ、１０ｆとしてそれぞれ形成されている。この拡張部１０ｅ、１０ｆは、カム板１０を鏡筒１の外側面に取り付ける際にレンズ保持枠２、３のカムピン２ａ、３ａとカム板１０のカム溝１０ａ、１０ｂが係合しやすいようにするためのものであり、このようにカム溝１０ａ、１０ｂの一端部（本実施例では回転中心１０ｃ側の端部）を当該カム溝１０ａ、１０ｂの幅よりも拡張することにより、カム溝１０ａ、１０ｂ内周とカムピン２ａ、３ａ外周との隙間が拡がるため、カム板１０を取り付ける際のカム溝１０ａ、１０ｂとカムピン２ａ、３ａとの位置合わせ（係合）が容易に行えるようになる。図２は、このようにカム溝の一端部に拡張部が設けられたカム板を示す図で（ａ）は平面図、（ｂ）はＡ−Ａ’断面図であり、本実施例においては、カム溝１０ａ、１０ｂがその一端部に設けられた拡張部１０ｅ、１０ｆを含めてカム板１０を貫通した状態となっている。
【００３６】
ところで、レンズ駆動機構においては、その最大／最小ズーム倍率に応じてレンズ保持枠２、３に一定の駆動範囲が設けられており、拡張部１０ｅ、１０ｆはその駆動範囲外に対応する部位であるため、このようにカム溝１０ａ、１０ｂの一端部が幅広の拡張部１０ｅ、１０ｆとして形成されていても、ズーム動作時にカム板１０が回転してカム溝１０ａ、１０ｂに係合したカムピン２ａ、３ａがカム溝１０ａ、１０ｂ内を摺動する際にカムピン２ａ、３ａが拡張部１０ｅ、１０ｆに移動することはなく、拡張部１０ｅ、１０ｆにおいてカムピン２ａ、３ａとカム溝１０ａ、１０ｂとの間でガタが生じることはない。即ち、拡張部１０ｅ、１０ｆはレンズ保持枠２、３の駆動範囲外に対応する部位であればどこに設けてもよく、本実施例のようにカム板１０の回転中心１０ｃ側の端部ではなく、それとは逆側の端部に設けてもよい。
【００３７】
但し、本実施例ではコイルバネ７を用いており、カム板１０を取り付ける時点では２つのレンズ保持枠２、３がコイルバネ７の付勢力により互いに最も近接した状態となっているため、拡張部１０ｅ、１０ｆはカム板１０の回転中心１０ｃ側の端部に設けておいた方がカム板１０の取り付けにはより都合がよい。尚、組立て方法は従来と同様であるため詳細な説明は省略する。
【００３８】
以上の説明ではカム溝がカム板を貫通しているものとしたが、当然ながらカム溝がカム板を貫通していない形態もあり、カム板の強度を確保したいのであればそういった形態のカム板を用いればよい。このようにカム溝がカム板を貫通していない底付きの場合であっても、上記の如くカム溝の一端部を幅広の拡張部として形成することによりカム板の取り付けが容易に行えるようになる。特に、このようにカム溝がカム板を貫通していない場合には、カム板を取り付ける際にカム板裏面（カム溝の非形成面）側からカムピンの位置が視認できないため、本発明による効果はより顕著なものとなる。
【実施例２】
【００３９】
図３は、本発明のレンズ駆動機構におけるカム板の別の実施例を示す図で、（ａ）は平面図、（ｂ）はＡ−Ａ’断面図、（ｃ）はＢ−Ｂ’断面図である。前記実施例１では、カム溝１０ａ、１０ｂ全体がカム板１０を貫通もしくは非貫通した状態であったが、本実施例２では、カム板１０の強度と取り付け易さの両方の面を考慮して拡張部１０ｅ、１０ｆのみを貫通した状態とし、それ以外の部分は非貫通状態としてある。この構成によれば、カム溝１０ａ、１０ｂを非貫通状態としてカム板１０の強度が確保できると共に、取り付けの際には貫通した拡張部１０ｅ、１０ｆよりカムピン２、３の位置が視認できるため、カム板１０の取り付けが容易に行える。
【００４０】
但し、拡張部１０ｅ、１０ｆのみを貫通状態とすることにより、非貫通状態のカム溝１０ａ、１０ｂとの境目で深さ方向の段差（段差部１０ｇ）が生じ、カム板１０を取り付けた後、拡張部１０ｅ、１０ｆに係合したカムピン２ａ、３ａが非貫通状態のカム溝１０ａ、１０ｂにそれぞれ移動する際にその段差部１０ｇに引掛かることがないよう、段差部１０ｇの角部には面取り加工、即ち傾斜や丸み（本実施例では傾斜）を付けるのが望ましい。
【実施例３】
【００４１】
図４は、本発明のレンズ駆動機構におけるカム板の更に別の実施例を示す図で、（ａ）は平面図、（ｂ）はＡ−Ａ’断面図である。本実施例３では、カム板１０の平面上にカム板１０の回転中心（中心穴）１０ｃを通る直線状の溝１０ｈがカム溝１０ａ、１０ｂとは別に設けてある。この直線状の溝１０ｈは、カム板１０を取り付ける際にカムピン２ａ、３ａをカム溝１０ａ、１０ｂに案内するための案内溝であり、カム溝１０ａ、１０ｂよりも浅く形成されている。本実施形態は、特に２つのレンズ保持枠間にコイルバネによる付勢が掛かっていないレンズ駆動機構を組み立てる際に効果を奏するものであり、図４に示すカム板１０を取り付ける際には、まず従来の如くカム板１０の回転中心１０ｃに鏡筒１外側面に設けられた回転軸１ａを貫入させ、カムピン２ａ、３ａの一端部がカム板１０の平面上に当接した状態とする。この状態においてカムピン２ａ、３ａはカム溝１０ａ、１０ｂもしくは案内溝１０ｈの何れにも係合しておらず、カム板１０は回転軸１ａを中心に回転可能に仮留めされた状態となっている。ここで、カム板１０を任意の方向に回転させると、その回転に伴いカム板１０の平面上に当接したカムピン２ａ、３ａがカム板１０の平面上に沿って相対的に移動（摺動）して案内溝１０ｈに係合する。案内溝１０ｈは、カム板１０の回転中心１０ｃを通って直線状に形成されているため、カムピン２ａ、３ａが係合する際には２本のカムピン２ａ、３ａが同時に係合し、どちらか一方のみが係合することはない。
【００４２】
この時、２本のカムピン２ａ、３ａが案内溝１０ｈではなく、カム溝１０ａ、１０ｂに２本同時に直接係合することも考えられるが、カム溝１０ａ、１０ｂにカムピン２ａ、３ａを係合させるのが目的であるので、それはそれで一向に構わない。
【００４３】
前者の如くカムピン２ａ、３ａが案内溝１０ｈに係合した場合には、その状態で２つのレンズ保持枠２、３を上下方向に移動させてカムピン２ａ、３ａを案内溝１０ｈに沿って摺動させ、カムピン２ａ、３ａが案内溝１０ｈと途中で交差するカム溝１０ａ、１０ｂにそれぞれ係合するように位置決めをする。この際、従来ではカム板５のカム溝５ａ、５ｂを２本のカムピン２ａ、３ａに対して上下方向に加え左右方向の位置決めを同時に行わなければならなかったのに対し、本発明では左右方向の位置決めは案内溝１０ｈによりなされているため、あとは上下方向の位置決めを行うだけでカムピン２ａ、３ａをカム溝１０ａ、１０ｂに係合させることが可能となる。尚、案内溝１０ｈはカムピン２ａ、３ａが係合しやすいようにカム溝１０ａ、１０ｂより幾分か幅広に形成しておくのが望ましいが特に限定はなく、カムピン２ａ、３ａの的確な案内ができる範囲で適宜選択すればよい。
【００４４】
本発明については以上説明した通りであるが、本明細書で示した実施例はそれぞれがあくまで１つの実施形態であり、各々の構成を別々に実施、又は組み合わせて実施することも可能である。また、本実施例ではカム板に円盤状のカム板を用いた構成として説明したが、本発明の趣旨はカム板にカムピンを係合させやすい加工を施すことであり、当然ながら平板状のカム板にも適用できる技術である。
【図面の簡単な説明】
【００４５】
【図１】本発明のレンズ駆動機構の一実施例を示す一部分解斜視図（実施例１）
【図２】カム溝の一端部に拡張部が設けられたカム板を示す図で、（ａ）は平面図、（ｂ）はＡ−Ａ’断面図（実施例１）
【図３】本発明のレンズ駆動機構におけるカム板の一実施例を示す図で、（ａ）は平面図、（ｂ）はＡ−Ａ’断面図、（ｃ）はＢ−Ｂ’断面図（実施例２）
【図４】本発明のレンズ駆動機構におけるカム板の一実施例を示す図で、（ａ）は平面図、（ｂ）はＡ−Ａ’断面図（実施例３）
【図５】カムに円盤状のカム板を用いた従来のレンズ駆動機構を示す一部分解斜視図
【符号の説明】
【００４６】
１      鏡筒
１ａ    回転軸
１ｂ    開口部
２      レンズ保持枠
２ａ    カムピン
２ｂ    バネポスト
３      レンズ保持枠
３ａ    カムピン
３ｂ    バネポスト
４      ガイドシャフト
４ａ    ガイドシャフト端部
５      カム板
５ａ    カム溝
５ｂ    カム溝
５ｃ    カム溝内周部
５ｄ    中心穴
６ａ    蓋部材
６ｂ    蓋部材
６ｃ    穴部
７      コイルバネ
７ａ    コイルバネ端部
７ｂ    コイルバネ端部
１０    カム板
１０ａ  カム溝
１０ｂ  カム溝
１０ｃ  回転中心（中心穴）
１０ｄ  歯部
１０ｅ  拡張部
１０ｆ  拡張部
１０ｇ  段差部
１０ｈ  案内溝
【図１】
2005352313.tif 000003
【図２】
2005352313.tif 000004
【図３】
2005352313.tif 000005
【図４】
2005352313.tif 000006
【図５】
2005352313.tif 000007